(57)【要約】【課題】  取水操作に関係付けて紫外線灯の点灯を図ることにより、必要・十分な殺菌を担保しつつも、その紫外線灯の延命を図り得るウォータサーバを提供する。【解決手段】  取水スイッチがＯＮされると取水タイマで取水時間値を計測し、取水時間値が設定取水時間値以上になれば紫外線灯を時間ｔ３だけ点灯し、取水時間値が設定取水時間値未満であれば、点灯を禁止する。点灯を禁止しても、禁止した期間内の取水時間値を順次積算し、積算取水時間値が設定積算取水時間値以上になれば紫外線灯を時間ｔ３だけ点灯させる。【選択図】      図４
2010052745.tif 000002
【特許請求の範囲】
【請求項１】
密閉容器により構成され上位から水頭差により水の供給を受けて貯留する貯留タンクと、開閉切換可能であって開変換されることにより上記貯留タンクから水を取水して外部に供給する開閉切換弁と、点灯されることにより上記貯留タンク内の水に対し紫外線を照射して殺菌する１又は複数の紫外線灯と、この紫外線灯の点灯・消灯を制御する制御手段とを備えたウォータサーバであって、
上記制御手段は、上記開閉切換弁の開変換に基づく取水により貯留タンク内に新たに供給されてそれまでの貯留水と置換される置換水量の如何に応じて少なくとも１の紫外線灯を点灯させる取水連係制御部を備え、
上記取水連係制御部は、取水毎に把握した置換水量が設定置換水量以上であれば上記紫外線灯を点灯させ、上記置換水量が設定置換水量未満であれば紫外線灯の点灯を禁止するように構成されている
ことを特徴とするウォータサーバ。
【請求項２】
請求項１に記載のウォータサーバであって、
上記取水連係制御部は、さらに、上記点灯を禁止した期間に把握した置換水量を積算し、積算した積算置換水量が設定積算置換水量以上になれば上記紫外線灯を一定時間点灯させるように構成されている、ウォータサーバ。
【請求項３】
密閉容器により構成され上位から水頭差により水の供給を受けて貯留する貯留タンクと、開閉切換可能であって開変換されることにより上記貯留タンクから水を取水して外部に供給する開閉切換弁と、点灯されることにより上記貯留タンク内の水に対し紫外線を照射して殺菌する１又は複数の紫外線灯と、この紫外線灯の点灯・消灯を制御する制御手段とを備えたウォータサーバであって、
上記制御手段は、上記開閉切換弁の開変換により取水が行われる取水時間の如何に応じて少なくとも１の紫外線灯を点灯させる取水連係制御部を備え、
上記取水連係制御部は、取水毎に生じる取水時間値を計測する取水タイマを備え、この取水タイマにより計測される取水時間値が設定取水時間値以上であれば上記紫外線灯を一定時間点灯させる一方、上記取水時間値が設定取水時間値未満であれば紫外線灯の点灯を禁止するように構成されている
ことを特徴とするウォータサーバ。
【請求項４】
請求項３に記載のウォータサーバであって、
上記取水連係制御部は、さらに、上記取水タイマにより計測される取水時間値が設定取水時間値未満であるときにその取水時間値を積算する積算カウンタを備え、前回の紫外線灯の点灯後に点灯を禁止した期間に上記積算カウンタにより積算された積算取水時間値が設定積算取水時間値以上になれば上記紫外線灯を一定時間点灯させるように構成されている、ウォータサーバ。
【請求項５】
密閉容器により構成され上位から水頭差により水の供給を受けて貯留する貯留タンクと、開閉切換可能であって開変換されることにより上記貯留タンクから水を取水して外部に供給する開閉切換弁と、点灯されることにより上記貯留タンク内の水に対し紫外線を照射して殺菌する１又は複数の紫外線灯と、この紫外線灯の点灯・消灯を制御する制御手段とを備えたウォータサーバであって、
上記制御手段は、上記開閉切換弁の開変換により取水が行われるときの通水量の如何に応じて少なくとも１の紫外線灯を点灯させる取水連係制御部を備え、
上記取水連係制御部は、取水毎に生じる通水量を計測する通水量計測処理部を備え、上記通水量計測処理部により計測される通水量が設定通水量以上であれば上記紫外線灯を一定時間点灯させる一方、上記通水量が設定通水量未満であれば紫外線灯の点灯を禁止するように構成されている
ことを特徴とするウォータサーバ。
【請求項６】
請求項５に記載のウォータサーバであって、
上記取水連係制御部は、さらに、上記通水量計測処理部により計測される通水量が設定通水量未満であるときにその通水量を積算する通水量積算処理部を備え、前回の紫外線灯の点灯後に点灯を禁止した期間に上記通水量積算処理部により積算された積算通水量が設定積算通水量以上になれば上記紫外線灯を一定時間点灯させるように構成されている、ウォータサーバ。
【請求項７】
請求項１〜請求項６のいずれかに記載のウォータサーバであって、
上記貯留タンク内に臨んで上流端が開口する取水経路を備え、この取水経路の下流端に上記開閉切換弁が設けられてなり、
上記取水連係用の紫外線灯は、その点灯により、上記貯留タンクの内部空間と、上記取水経路の下流端までの内部空間との双方に対し紫外線が照射されるように配設されている、ウォータサーバ。
【発明の詳細な説明】
【技術分野】
【０００１】
本発明は、ウォータボトル等の容器に充填された水の補給をタンクに受けて飲料水として供給し得るウォータサーバに関し、特にタンク内において水を殺菌するための紫外線灯の点灯制御に関する技術に係る。
【背景技術】
【０００２】
従来、ウォータサーバとしては「ディスペンサ」とも称され、交換可能に装着されたウォータボトルから水の供給を内蔵タンクに受け、これを冷却して冷水状態に維持し、ユーザのレバー操作やコック操作により冷水を飲用として供給するものが提供されている。
【０００３】
そして、特許文献１には、卓上型冷水機において、貯水タンク内の給水路中に殺菌ランプを設け、この殺菌ランプにより紫外線を照射することにより水を殺菌することが記載されている。このものでは、殺菌ランプを、冷水機の電源投入時、給水口からの給水時、及び、給水停止直後のそれぞれの所定のタイミングにおいて一定時間ずつ点灯する他、非給水状態の期間中にはタイマ回路からの出力により所定の時間経過毎に一定時間繰り返し点灯する点が開示され、加えて、その繰り返し点灯のタイマを給水スイッチの開閉毎にリセットする点が開示されている。
【０００４】
又、特許文献２には、殺菌タンク内の水を紫外線ランプからの紫外線照射により殺菌する紫外線殺菌装置において、紫外線が照射される水の温度を温度センサで検出し、この検出温度の高低如何によって通水状態か否かを判定し、通水していないと判定した場合には紫外線ランプを消灯するようにすることが記載されている（例えば特許文献２）。
【０００５】
【特許文献１】実開昭５９−１４３２８８号公報
【特許文献２】特願平１０−２１１４８８号公報
【発明の開示】
【発明が解決しようとする課題】
【０００６】
ところで、水を貯留するタンク内に殺菌用に紫外線灯を設置し、タンク内の水がユーザにより取水される毎に紫外線灯を点灯する、すなわち、取水弁の開操作等の取水動作に連動して紫外線灯を点灯させるという取水連動点灯を行う場合には、必要以上の紫外線照射による受光部分の素材劣化や、紫外線灯の寿命短縮化を招くという不都合を生じる場合がある。すなわち、取水連動点灯を画一的に実行させると、例えば、ごく少量ずつの取水動作（ごく短い間だけ取水弁開）が繰り返されるという短時間取水が繰り返される場合や、取水動作（取水弁の開閉操作）が短時間の内に多数回繰り返されるというように取水の使用頻度が高い場合には、紫外線灯の点灯回数が増大したり積算点灯時間が増大したりして早期に寿命を迎えることになる。ここで、紫外線灯の寿命はウォータサーバの機器寿命に比してかなり短かいため、必要・十分な殺菌を担保しつつも紫外線灯の延命を図り得る対策の開発が要請されているところである。
【０００７】
本発明は、このような事情に鑑みてなされたものであり、その目的とするところは、取水操作に関係付けて紫外線灯の点灯を図ることにより、必要・十分な殺菌を担保しつつも、その紫外線灯の延命を図り得るウォータサーバを提供することにある。
【課題を解決するための手段】
【０００８】
上記目的を達成するために、第１の発明では、密閉容器により構成され上位から水頭差により水の供給を受けて貯留する貯留タンクと、開閉切換可能であって開変換されることにより上記貯留タンクから水を取水して外部に供給する開閉切換弁と、点灯されることにより上記貯留タンク内の水に対し紫外線を照射して殺菌する１又は複数の紫外線灯と、この紫外線灯の点灯・消灯を制御する制御手段とを備えたウォータサーバを対象にして次の特定事項を備えることとした。すなわち、上記制御手段として、上記開閉切換弁の開変換に基づく取水により貯留タンク内に新たに供給されてそれまでの貯留水と置換される置換水量の如何に応じて少なくとも１の紫外線灯を点灯させる取水連係制御部を備える。そして、上記取水連係制御部として、取水毎に把握した置換水量が設定置換水量以上であれば上記紫外線灯を点灯させ、上記置換水量が設定置換水量未満であれば紫外線灯の点灯を禁止する構成とした（請求項１）。ここで、上記の「水」とは、例えばミネラルウォータに代表される真水等に限らず、お茶やジュース等の飲料水をも含むものである。
【０００９】
この第１の発明の場合、置換水量が設定置換水量未満であれば点灯が禁止されるため、開閉切換弁の開変換に連動させてその開変換毎に画一的に点灯するという取水連動点灯を行う場合と比べ、紫外線灯による紫外線照射の回数（点灯回数）を大幅に減らすことが可能となる。このため、紫外線灯の点灯回数の低減化と、それに伴う点灯時間の低減化とによって、ウォータサーバの使用経過期間が同じであってもその期間内の紫外線灯の累積点灯回数や累積点灯時間をより少なくすることが可能となり、これにより、紫外線灯の寿命を大幅に延長させることが可能になる。又、１回の取水による置換水量が設定置換水量以上になれば点灯させるという取水連係制御によって、ユーザの取水動作に起因して混入のおそれのある雑菌を確実に殺菌することが可能になり、貯留タンク内の貯留水に対する必要・十分な殺菌を担保しつつ、取水に連係して点灯させるための紫外線灯の寿命をより長く保持させることが可能となる。
【００１０】
本発明における取水連係制御部として、さらに、上記点灯を禁止した期間に把握した置換水量を積算し、積算した積算置換水量が設定積算置換水量以上になれば上記紫外線灯を一定時間点灯させる構成を付加するようにしてもよい（請求項２）。このようにすることにより、１回毎の取水での置換水量が設定置換水量未満であって、紫外線灯の点灯が禁止されたとしても、その置換水量を積算した積算置換水量が設定積算置換水量以上になれば紫外線灯が点灯されて殺菌が行われることになる。これにより、ユーザの取水動作の多様性を反映して、貯留タンク内の貯留水に対する必要・十分な殺菌をより一層確実に担保し得るようになる。
【００１１】
第２の発明または第３の発明は上記の第１の発明を具体化したものである。すなわち、第２の発明では、密閉容器により構成され上位から水頭差により水の供給を受けて貯留する貯留タンクと、開閉切換可能であって開変換されることにより上記貯留タンクから水を取水して外部に供給する開閉切換弁と、点灯されることにより上記貯留タンク内の水に対し紫外線を照射して殺菌する１又は複数の紫外線灯と、この紫外線灯の点灯・消灯を制御する制御手段とを備えたウォータサーバを対象にして次の特定事項を備えることとした。すなわち、上記制御手段として、上記開閉切換弁の開変換により取水が行われる取水時間の如何に応じて少なくとも１の紫外線灯を点灯させる取水連係制御部を備えたものとする。そして、上記取水連係制御部として、取水毎に生じる取水時間値を計測する取水タイマを備え、この取水タイマにより計測される取水時間値が設定取水時間値以上であれば上記紫外線灯を一定時間点灯させる一方、上記取水時間値が設定取水時間値未満であれば紫外線灯の点灯を禁止する構成とする（請求項３）。
【００１２】
この第２の発明の場合、開閉切換弁の開変換により取水される取水量、つまりこの取水により置換される貯留タンク内の置換水量は、開閉切換弁から取水が継続される時間値、つまり取水時間値と対応関係にあり、この取水時間値を把握することで置換水量の把握が可能になる。そして、置換水量と対応関係にある取水時間値が設定取水時間値未満であれば点灯が禁止され、これにより、開閉切換弁の開変換に連動させてその開変換毎に画一的に点灯するという取水連動点灯を行う場合と比べ、紫外線灯による紫外線照射の回数（点灯回数）を大幅に減らすことが可能となる。このため、第１の発明と同様に、紫外線灯の点灯回数の低減化と、それに伴う点灯時間の低減化とによって、ウォータサーバの使用経過期間が同じであってもその期間内の紫外線灯の累積点灯回数や累積点灯時間をより少なくすることが可能となり、これにより、紫外線灯の寿命を大幅に延長させることが可能になる。加えて、１回の取水操作の取水時間値が設定取水時間値以上になれば点灯させるという取水連係制御によって、ユーザの取水動作に起因して混入のおそれのある雑菌を確実に殺菌することが可能になり、貯留タンク内の貯留水に対する必要・十分な殺菌を担保しつつ、取水に連係して点灯させるための紫外線灯の寿命をより長く保持させることが可能となる。
【００１３】
さらに第２の発明における取水連係制御部として、さらに、上記取水タイマにより計測される取水時間値が設定取水時間値未満であるときにその取水時間値を積算する積算カウンタを備え、前回の紫外線灯の点灯後に点灯を禁止した期間に上記積算カウンタにより積算された積算取水時間値が設定積算取水時間値以上になれば上記紫外線灯を一定時間点灯させる構成を付加することができる（請求項４）。このようにすることにより、１回毎の取水での取水時間値が設定取水時間値未満であって、紫外線灯の点灯が禁止されたとしても、その取水時間値を積算した積算取水時間値が設定積算取水時間値以上になれば紫外線灯が点灯されて殺菌が行われることになる。これにより、請求項２の場合と同様に、ユーザの取水動作の多様性を反映して、貯留タンク内の貯留水に対する必要・十分な殺菌をより一層確実に担保し得るようになる。
【００１４】
第３の発明では、密閉容器により構成され上位から水頭差により水の供給を受けて貯留する貯留タンクと、開閉切換可能であって開変換されることにより上記貯留タンクから水を取水して外部に供給する開閉切換弁と、点灯されることにより上記貯留タンク内の水に対し紫外線を照射して殺菌する１又は複数の紫外線灯と、この紫外線灯の点灯・消灯を制御する制御手段とを備えたウォータサーバを対象にして次の特定事項を備えたものとした。すなわち、上記制御手段として、上記開閉切換弁の開変換により取水が行われるときの通水量の如何に応じて少なくとも１の紫外線灯を点灯させる取水連係制御部を備えたものとする。そして、上記取水連係制御部として、取水毎に生じる通水量を計測する通水量計測処理部を備え、上記通水量計測処理部により計測される通水量が設定通水量以上であれば上記紫外線灯を一定時間点灯させる一方、上記通水量が設定通水量未満であれば紫外線灯の点灯を禁止する構成とする（請求項５）。
【００１５】
この第３の発明の場合、開閉切換弁の開変換に基づく取水量、つまりこの取水により置換される貯留タンク内の置換水量は、開閉切換弁から取水される際の通水量と対応関係にあり、この通水量を把握することで置換水量の把握が可能になる。そして、置換水量と対応関係にある通水量が設定通水量未満であれば点灯が禁止され、これにより、開閉切換弁の開変換に連動させてその開変換毎に画一的に点灯するという取水連動点灯を行う場合と比べ、紫外線灯による紫外線照射の回数（点灯回数）を大幅に減らすことが可能となる。このため、第１の発明と同様に、紫外線灯の点灯回数の低減化と、それに伴う点灯時間の低減化とによって、ウォータサーバの使用経過期間が同じであってもその期間内の紫外線灯の累積点灯回数や累積点灯時間をより少なくすることが可能となり、これにより、紫外線灯の寿命を大幅に延長させることが可能になる。加えて、１回の取水操作による通水量が設定通水量以上になれば点灯させるという取水連係制御によって、ユーザの取水動作に起因して混入のおそれのある雑菌を確実に殺菌することが可能になり、貯留タンク内の貯留水に対する必要・十分な殺菌を担保しつつ、取水に連係して点灯させるための紫外線灯の寿命をより長く保持させることが可能となる。
【００１６】
さらに、この第３の発明においても、上記取水連係制御部として、さらに、上記通水量計測処理部により計測される通水量が設定通水量未満であるときにその通水量を積算する通水量積算処理部を備え、前回の紫外線灯の点灯後に点灯を禁止した期間に上記通水量積算処理部により積算された積算通水量が設定積算通水量以上になれば上記紫外線灯を一定時間点灯させる構成を付加することができる（請求項６）。このようにすることにより、１回毎の取水での通水量が設定通水量未満であって、紫外線灯の点灯が禁止されたとしても、その通水量を積算した積算通水量が設定積算通水量以上になれば紫外線灯が点灯されて殺菌が行われることになる。これにより、請求項２の場合と同様に、ユーザの取水動作の多様性を反映して、貯留タンク内の貯留水に対する必要・十分な殺菌をより一層確実に担保し得るようになる。
【００１７】
さらに、以上の各発明において、上記貯留タンク内に臨んで上流端が開口する取水経路を備え、この取水経路の下流端に上記開閉切換弁を設けるようにし、上記取水連動用の紫外線灯を、その点灯により、上記貯留タンクの内部空間と、上記取水経路の下流端までの内部空間との双方に対し紫外線が照射される配設にすることができる（請求項７）。このようにすることにより、紫外線灯の点灯で貯留タンク内の水の殺菌に加え、取水経路内の水の殺菌をも確実に行い得るようになり、必要・十分な殺菌をより一層確実に担保させることが可能となる。
【発明の効果】
【００１８】
以上、説明したように、請求項１，２，７のいずれかのウォータサーバによれば、開閉切換弁の開変換による取水に基づき生じる貯留タンク内の置換水量の如何に応じて紫外線灯を点灯させたり点灯を禁止させたりし、１回の取水による置換水量が設定置換水量未満であれば紫外線灯の点灯を禁止しているため、開閉切換弁の開変換に連動させてその開変換毎に画一的に点灯するという取水連動点灯を行う場合と比べ、紫外線灯による紫外線照射の回数を大幅に減らすことができるようになる。このため、紫外線灯の点灯回数の低減化と、それに伴う点灯時間の低減化とによって、ウォータサーバの使用経過期間が同じであってもその期間内の紫外線灯の累積点灯回数や累積点灯時間をより少なくすることができ、これにより、紫外線灯の寿命を大幅に延長させることができるようになる。しかも、１回の取水による置換水量が設定置換水量以上になれば紫外線灯を点灯させるようにしているため、ユーザの取水動作に起因して混入のおそれのある雑菌を確実に殺菌することができ、貯留タンク内の貯留水に対する必要・十分な殺菌を担保しつつ、取水に連係して点灯させるための紫外線灯の寿命をより長く保持させることができるようになる。
【００１９】
特に請求項２によれば、１回毎の取水での置換水量が設定置換水量未満であって、紫外線灯の点灯が禁止されたとしても、その置換水量を積算した積算置換水量が設定積算置換水量以上になれば紫外線灯が点灯されて殺菌を行うことができ、これにより、ユーザの取水動作の多様性を反映して、貯留タンク内の貯留水に対する必要・十分な殺菌をより一層確実に担保することができるようになる。
【００２０】
又、請求項３，４，７のいずれかのウォータサーバによれば、開閉切換弁の開変換により取水される取水量、つまりこの取水により置換される貯留タンク内の置換水量を、取水時間値によって把握することができ、かかる取水時間値の把握によって上記置換水量の如何に応じた取水連係制御を容易に行うことができるようになる。そして、置換水量と対応関係にある取水時間値が設定取水時間値未満であれば紫外線灯の点灯を禁止しているため、開閉切換弁の開変換に連動させてその開変換毎に画一的に点灯するという取水連動点灯を行う場合と比べ、紫外線灯による紫外線照射の回数を大幅に減らすことができ、このため、紫外線灯の点灯回数の低減化と、それに伴う点灯時間の低減化とによって、ウォータサーバの使用経過期間が同じであってもその期間内の紫外線灯の累積点灯回数や累積点灯時間をより少なくすることができ、これにより、紫外線灯の寿命を大幅に延長させることができるようになる。加えて、１回の取水操作の取水時間値が設定取水時間値以上になれば点灯させるようにしているため、ユーザの取水動作に起因して混入のおそれのある雑菌を確実に殺菌することができ、貯留タンク内の貯留水に対する必要・十分な殺菌を担保しつつ、取水に連係して点灯させるための紫外線灯の寿命をより長く保持させることができるようになる。
【００２１】
特に請求項４によれば、１回毎の取水での取水時間値が設定取水時間値未満であって、紫外線灯の点灯が禁止されたとしても、その取水時間値を積算した積算取水時間値が設定積算取水時間値以上になれば紫外線灯が点灯されて殺菌を行うことができ、これにより、請求項２の場合と同様に、ユーザの取水動作の多様性を反映して、貯留タンク内の貯留水に対する必要・十分な殺菌をより一層確実に担保することができるようになる。
【００２２】
さらに、請求項５，６，７のいずれかのウォータサーバによれば、開閉切換弁の開変換に基づく取水量、つまりこの取水により置換される貯留タンク内の置換水量を、開閉切換弁から取水される際の通水量によって把握することができ、かかる通水量の把握によって上記置換水量の如何に応じた取水連係制御を容易に行うことができるようになる。そして、置換水量と対応関係にある通水量が設定通水量未満であれば点灯を禁止しているため、開閉切換弁の開変換に連動させてその開変換毎に画一的に点灯するという取水連動点灯を行う場合と比べ、紫外線灯による紫外線照射の回数を大幅に減らすことができ、このため、紫外線灯の点灯回数の低減化と、それに伴う点灯時間の低減化とによって、ウォータサーバの使用経過期間が同じであってもその期間内の紫外線灯の累積点灯回数や累積点灯時間をより少なくすることができ、これにより、紫外線灯の寿命を大幅に延長させることができるようになる。加えて、１回の取水操作による通水量が設定通水量以上になれば点灯させるようにしているため、ユーザの取水動作に起因して混入のおそれのある雑菌を確実に殺菌することができ、貯留タンク内の貯留水に対する必要・十分な殺菌を担保しつつ、取水に連係して点灯させるための紫外線灯の寿命をより長く保持させることができるようになる。
【００２３】
特に請求項６によれば、１回毎の取水での通水量が設定通水量未満であって、紫外線灯の点灯が禁止されたとしても、その通水量を積算した積算通水量が設定積算通水量以上になれば紫外線灯が点灯されて殺菌を行うことができ、これにより、請求項２の場合と同様に、ユーザの取水動作の多様性を反映して、貯留タンク内の貯留水に対する必要・十分な殺菌をより一層確実に担保することができるようになる。
【００２４】
さらに、請求項７によれば、紫外線灯の点灯により、貯留タンクの内部空間と、取水経路の下流端までの内部空間との双方に対し紫外線を照射することができるようになる。これにより、貯留タンク内の水の殺菌に加え、取水経路内の水の殺菌をも確実に行うことができ、必要・十分な殺菌をより一層確実に担保させることができるようになる。
【発明を実施するための最良の形態】
【００２５】
以下、本発明の実施形態を図面に基づいて説明する。
【００２６】
図１は本発明の実施形態に係るウォータサーバの装置構成を示す。同図において、符号１は外装となるハウジング、２は貯留タンクとしての冷水タンク、３は上記冷水タンク２の上側に着脱可能に装着されて冷水タンク２への水の供給源となるウォータボトル、４は冷水タンク２内の水を冷却する冷凍回路、５はこの冷水タンク２を介して水の供給を受ける温水タンク、６は温水タンク５内の水を加熱するヒータ、７は後述の紫外線灯２８，２９の点灯・消灯の制御を含むウォータサーバの作動制御を行う制御手段としてのコントローラである。ここで、このウォータサーバに供給・貯留されて、冷水又は温水にした上でユーザによる取水操作に供される「水」は、ミネラルウォータの他にお茶等の飲料用として提供される液体全般を総称するものである。
【００２７】
ハウジング１の上面中央部位にはウォータボトル３を装着させるための連結凹部１１が形成されている。この連結凹部１１は、ウォータボトル３の首部３１を天地逆転した状態で内嵌させ得る内面形状を有すると共に、その中心軸に沿って上向きに突出する連通筒部１２を備えている。この連結凹部１１に対し、ウォータボトル３の天地を逆にした状態で首部３１を上から下に内嵌させることにより、連通筒部１２がウォータボトル３の首部３１内に上向きに挿入されてウォータボトル３内と冷水タンク２内とを互いに連通した状態にして、ウォータボトル３と冷水タンク２とが互いに連結されるようになっている。又、ハウジング１の前面の中段位置には冷水及び温水の２種類の飲料水を受けるコップ置き場（図示省略）が形成され、このコップ置き場の上側位置に上記冷水及び温水の各取水口２７１，５２１が配置されている。又、このコップ置き場の上側位置の前面には冷水取り出しのための冷水用の取水スイッチ１４と、温水取り出しのための温水用の取水スイッチ１５とが配設されている。
【００２８】
冷水タンク２は上方に開放された容器であり、その上端開口に対し遮光板を兼ねる蓋２１がパッキン等を介して嵌め込まれて、密閉されている。蓋２１の略中央部位は上記連結凹部１１に対し下側から外嵌し得る凹部２２とされ、この凹部２２の中心位置には上記の連通筒部１２が挿通される貫通孔が形成されている。又、冷水タンク２内の所定レベル位置には水平方向に拡がるバッフルプレート２３が配設され、このバッフルプレート２３の中央位置に対し上流端が開口するように接続管２４が接続されている。この接続管２４の下流端が温水タンク５の底部に連通されている。そして、冷水タンク２の底部に対し凹状に形成された溜まり部２５から冷水取水管２６がハウジング１のコップ置き場の上方位置まで延ばされ、その冷水取水管２６の下流端側に設置された開閉切換弁としての冷水取水弁２７が開作動されることによりその取水口２７１から冷水タンク２内の冷水が吐出されるようになっている。この冷水取水弁２７は電磁式開閉制御弁により構成されており、通常は閉状態に維持されて、ユーザが取水スイッチ１４をＯＮ操作（例えば押圧操作）すると、その操作信号の出力を受けてコントローラ７により開切換制御されて冷水を取水口２７１から吐出させ、取水スイッチ１４がＯＦＦ（例えば押圧解除操作）されると元の閉状態に切換えるようになっている。さらに、冷水タンク２内には殺菌用に複数の紫外線灯２８，２９が設置され、これら紫外線灯２８，２９の点灯による紫外線照射によって内部に貯留されている水が殺菌されるようになっている。一方の紫外線灯２８の下端部は上記溜まり部２５内まで延ばされて冷水取水管２６の内方まで照らし得るようにされている。
【００２９】
より詳細に説明すると、一方の紫外線灯２８が取水連係用として、他方の紫外線灯２９が定期点灯用として、それぞれ役割設定（用途設定）され、両紫外線灯２８，２９は互いの役割に応じて後述の如くコントローラ７により点灯制御されるようになっている。ここで、図２に示すように、取水経路である冷水取水管２６は溜まり部２５から冷水取水弁２７まで側方に一直線状に延ばされている。冷水取水管２６の上流端２６１は溜まり部２５に対し側方から開口して連通し、下流端２６２は冷水取水弁２７の弁体２７２に相対向して弁体２７２が着座する弁座を構成している。そして、溜まり部２５には紫外線灯２８の下端部が上から下に挿入されて、紫外線灯２８から照射される紫外線が冷水取水管２６の内部空間を一直線に延びて冷水取水弁２７の弁体２７２に突き当たることになるように、紫外線灯２８と、冷水取水管２６及び冷水取水弁２７との位置関係が設定されている。つまり、紫外線灯２８の一部が冷水取水管２６の内部空間を介して弁体２７２と相対向し、紫外線灯２８を点灯すれば、紫外線灯２８からの紫外線により、冷水タンク２の内部空間に貯留された冷水のみならず、冷水取水管２６内の上流端２６１から冷水取水弁２７の弁体２７２位置の下流端２６２（冷水取水口２７１近傍位置）までの全範囲の内部空間に亘って照射されて冷水取水管２６の内部空間に存する冷水も殺菌されるようになっている。
【００３０】
ウォータボトル３は「ガロンボトル」とも言われ、内部に飲料水が充填・収容された状態で提供されるものである。そして、このウォータボトル３がウォータサーバに対し上記の如く装着され、装着されたウォータボトル３内の飲料水が消費されて空になるたびに、新しいウォータボトル３に交換されるようになっている。
【００３１】
冷凍回路４は、内部に冷媒を封入した循環経路４１上に蒸発器を構成する冷却管４２を備えている。そして、この冷却管４２を上記冷水タンク２の周囲に巻き付け、コンプレッサ４３により圧縮した冷媒を放熱器４４で放熱させて液化させ、これを膨張させて冷却管４２に供給することにより冷水タンク２内の水から熱を奪って冷却するようになっている。この冷凍回路４はコントローラ７による冷却運転制御により作動されるようになっており、この冷却運転制御は電源が投入されてウォータサーバが使用される際に開始され、冷凍回路４を作動させて冷水タンク２内の水を所定温度まで冷却した後に、一定の冷水温度範囲を維持するように保冷運転を行うようになっている。
【００３２】
温水タンク５は冷水タンク２よりも下位に、従ってウォータボトル３よりも下位に配置された密閉容器であり、内部にヒータ６が配設されている。この温水タンク５には、上記接続管２４を通して冷水タンク２内（あるいはウォータボトル３内）から水頭差に基づき水が注水され、かつ、取水により減った分だけ補給されるようになっている。従って、温水タンク５から見ると、上記ウォータボトル３のみならず冷水タンク２も水源容器を構成することになる。又、温水タンク５の頂部から温水取水管５１がハウジング１のコップ置き場の上方位置まで延ばされ、その前面の温水取水口５２１まで延ばされ、その温水取水管５１の下流端側に介装された温水取水弁５２が開作動されることによりその温水取水口５２１から温水タンク５内の温水が吐出されるようになっている。この温水取水弁５２も冷水取水弁２７と同様に電磁式開閉制御弁により構成されており、通常は閉状態に維持されて、ユーザが取水スイッチ１５をＯＮ操作すると、その操作信号の出力を受けてコントローラ７により開切換制御されて温水を取水口５２１から吐出させ、取水スイッチ１５がＯＦＦされると元の閉状態に切換えるようになっている。なお、図１中の符号２４１は水抜き用配管であり、この水抜き用配管２４１は接続管２４から分岐してハウジング１まで延ばされており、その下流端の接続口から冷水タンク２内の冷水や温水タンク５内の温水を排出させてウォータサーバ内から水抜きし得るようになっている。なお、図１中の符号５３は過熱防止装置であり、５４は温度センサであり、過熱防止装置５３はバイメタルを用いて沸騰直前の温度（例えば９５℃）の検知によりヒータ６に対する通電を遮断するようになっている。
【００３３】
ヒータ６はコントローラ７による加熱運転制御により作動されるようになっており、この加熱運転制御は電源が投入されてウォータサーバが使用される際に開始され、ヒータ６を作動させて温水タンク５内の水を所定温度まで加熱（例えば９０℃）した後に、一定の温水温度（例えば８０℃〜９０℃）を維持するように保温運転を行うようになっている。従って、温水タンク５内の温水については加熱殺菌が施されることになる。
【００３４】
コントローラ７は、ヒータ６等の電気駆動式の要素に対する電源供給と、冷凍回路４による冷却運転及びヒータ６による加熱運転に係る制御と、冷水スイッチ１４又は温水スイッチ１５からの出力に基づく冷水又は温水の供給運転に係る制御との実行に加え、次の定期点灯制御及び取水連係制御からなる点灯制御を実行するようになっている。すなわち、コントローラ７は、図３に示すように、定期点灯用の紫外線灯２９を対象として定期的に点灯させる定期点灯制御部７１と、取水連係用の紫外線灯２８を対象にして冷水取水弁２７による冷水の取水に連係して点灯させる取水連係制御部７２（第１実施形態）又は７３（第２実施形態）とを備えており、これらにより定期点灯制御及び取水連係制御からなる点灯制御が実行されるようになっている。
【００３５】
取水連係制御部７２又は７３による取水連係制御の原理は次の通りである。すなわち、冷水取水弁２７がＯＮ操作（開操作）されると、冷水タンク２側の水頭差に基づき冷水タンク２内の冷水が冷水取水弁２７から吐出される一方、その吐出された分だけの水がウォータボトル３から冷水タンク２へ供給されて、冷水タンク２内にそれまで貯留されていた冷水がウォータボトル３内の水と置換されることになる。本発明の取水連係制御は、このような取水量と対応関係にある置換水量に着目したもの、つまり、冷水取水弁２７の１回のＯＮ操作が長ければ置換水量（取水量）もそれに対応して多くなり、ＯＮ操作が短ければ置換水量も少ないものとなることに着目したものであり、かかる置換水量又はその積算量のいずれかが所定量に到達するまでは紫外線灯２８の点灯を禁止し、到達すれば紫外線灯２８を点灯するようにしたものである。要するに、取水動作に伴い冷水タンク２に対し新たに供給されて雑菌混入の要因となる置換水量の多少に連係させて殺菌（紫外線照射）を行うことにより、以下の如く、必要・十分な殺菌を確保しつつも紫外線灯２８の寿命をより長く延ばすようにしたものである。
【００３６】
＜第１実施形態＞
第１実施形態は、冷水タンク２内の水の置換水量（取水量）の検出を、冷水取水弁２７が開とされている時間値（取水時間値）として検出するものである。すなわち、冷水取水弁２７が開状態にあるときの取水量は、その開状態に維持される時間値（取水時間値）と対応関係にあるため、上記の置換水量を取水時間値によって把握して取水連係制御を実行しようとするものである。以下、図３及び図４を参照しつつ第１実施形態による取水連係制御について詳細に説明する。
【００３７】
定期点灯制御部７１は、設定消灯維持時間（例えば１２０分間）の経過毎に紫外線灯２９を設定点灯時間（１０分間）だけ点灯させるという定期点灯制御を繰り返すようになっている。つまり、上記の例であると、紫外線灯２９を１２０分消灯状態に維持した後に１０分だけ点灯させるという制御を繰り返すようになっている。
【００３８】
取水連係制御部７２は、取水タイマ７２１と、積算カウンタ７２２と、点灯タイマ７２３とを備え、設定取水時間値ｔ１以上の取水操作が生じれば紫外線灯２８を点灯させる一方、取水操作があってもその取水時間値が設定取水時間値ｔ１未満であれば点灯を禁止し、さらに、その点灯禁止を継続した取水時間値が設定積算取水時間値ｔ２に到達すれば点灯させるという点灯制御を行うようになっている。
【００３９】
上記取水タイマ７２１は取水スイッチ１４のＯＮ操作（冷水取水弁２７の開）に基づきＯＮ操作信号が出力されるとスタートして、ＯＦＦ操作（すなわち、ＯＮ操作の解除）に基づきＯＦＦ操作信号（冷水取水弁２７の閉操作信号）が出力されるとリセットされるようになっており、上記のＯＮ操作信号の出力によりスタートしてＯＦＦ操作信号が出力される前に上記の設定取水時間値ｔ１がタイムアップすればタイムアップ信号を出力するようになっている。このタイムアップ信号の出力を受けて取水連係制御部７２は紫外線灯２８を点灯タイマ７２３によりカウントされる設定点灯時間値ｔ３だけ点灯させるようになっている。
【００４０】
一方、設定取水時間値ｔ１に達する前にＯＦＦ操作信号が出力された場合（取水時間値＜ｔ１）にはタイムアップ信号が出力されないため点灯されることはなく、つまり点灯が禁止され、取水タイマ７２１はリセットされて次のＯＮ操作信号の出力を待つことになる。そして、このようにタイムアップ信号の出力に至らなかった場合には、そのＯＮ操作信号の出力からＯＦＦ操作信号の出力までの取水時間値を、点灯されないままに取水が行われた時間値（点灯禁止取水時間値）として積算カウンタ７２２に送出し、積算カウンタ７２２はこの点灯禁止取水時間値の積算を行う。この積算カウンタ７２２は上記の紫外線灯２８の点灯が行われればリセットされて最初（ゼロ）から点灯禁止取水時間値の積算を開始し、その積算値が設定積算取水時間値ｔ２に到達すればカウントアップ信号を出力するようになっている。そして、このカウントアップ信号の出力を受けた取水連係制御部７２は、紫外線灯２８を点灯タイマ７２３によりカウントされる設定点灯時間値ｔ３だけ点灯させるようになっている。
【００４１】
以上、要するに取水連係制御部７２は、取水タイマ７２１からのタイムアップ信号の出力、又は、積算カウンタ７２２からのカウントアップ信号の出力のいずれかを受けて、紫外線灯２８を点灯させ、それ以外は取水操作があっても紫外線灯２８を消灯状態（点灯を禁止した状態）に維持するようになっている。
【００４２】
図４の例示に基づき取水連係制御について具体的に説明すると、冷水用の取水スイッチ１４がＯＮ操作されて取水が開始されと取水タイマ７２１がスタートし、このＯＮ操作が設定取水時間値ｔ１を超えて継続されると、取水タイマ７２１からタイムアップ信号が出力されて、紫外線灯２８が点灯タイマ７２３によりカウントされる設定点灯時間値ｔ３だけ点灯されることになる。取水タイマ７２１はタイムアップ信号の出力によりリセットされる。そして、設定点灯時間値ｔ３のタイムアップにより紫外線灯２８は消灯されると共に、点灯タイマ７２３及び積算カウンタ７２２が共にリセットされる。
【００４３】
次の取水スイッチ１４のＯＮ操作の場合には、設定取水時間値ｔ１の経過前にＯＦＦ操作されてしまうため、取水タイマ７２１によりカウントされた取水時間値が積算カウンタ７２２に送出されて積算カウンタ７２２で積算される一方、その取水時間値の送出により取水タイマ７２１はリセットされる。その次の取水スイッチ１４のＯＮ操作も、設定取水時間値ｔ１の経過前にＯＦＦ操作されて、取水時間値が積算カウンタ７２２で積算される。さらにその次の取水スイッチ１４のＯＮ操作も、設定取水時間値ｔ１の経過前にＯＦＦ操作されて、取水時間値が積算カウンタ７２２で積算されることになるものの、その積算値が設定積算取水時間値ｔ２に到達するため、到達と同時にカウントアップ信号が出力され、紫外線灯２８が点灯タイマ７２３によりカウントされる設定点灯時間値ｔ３だけ点灯されることになる。そして、設定点灯時間値ｔ３のタイムアップにより紫外線灯２８は消灯されると共に、点灯タイマ７２３及び積算カウンタ７２２が共にリセットされる。以後、これらが繰り返されることになる。
【００４４】
以上の取水連係制御部７２による取水連係制御の場合、取水スイッチ１４のＯＮ操作に連動させて冷水取水弁２７が開操作される毎に点灯するという取水連動点灯を行う場合と比べ、紫外線灯２８による紫外線照射の回数（点灯回数）を大幅に減らすことができるようになる。そして、この点灯回数の低減化と、それに伴う点灯時間の低減化とによって、紫外線灯２８の寿命を大幅に延長させることができるようになる。このため、ウォータサーバの使用経過期間が同じであってもその期間内の紫外線灯２８の累積点灯回数や累積点灯時間をより少なくすることができることになる。又、このような取水時間により把握される置換水量に基づく点灯制御によって、ユーザの取水動作に起因して混入のおそれのある雑菌を確実に殺菌することができ、これにより、冷水タンク２内の冷水に対する必要・十分な殺菌を担保しつつ、取水連係用の紫外線灯２８の寿命をより長く保持させることができるようになる。
【００４５】
＜第２実施形態＞
第２実施形態は、冷水タンク２内の水の置換水量（取水量）の把握を、冷水取水弁２７が開とされたときの通水量を検出することにより行うものである。すなわち、冷水取水弁２７が開状態にあるときの取水量は、その開状態に維持された冷水取水弁２７（冷水取水管２６）を通過する通水量とほぼ同じであるという対応関係にあるため、上記の置換水量を通水量によって把握して取水連係制御を実行しようとするものである。そして、この第２実施形態では、通水量を得るために流量センサ８１を冷水取水管２６に介装させている。以下、図５及び図６を参照しつつ第２実施形態による取水連係制御について詳細に説明する。
【００４６】
第２実施形態の取水連係制御部７３は、通水量計測処理部７３１と、通水量積算処理部７３２と、第１実施形態の点灯タイマ７２３と同じ構成の点灯タイマ７３３とを備え、１回の取水操作（１回の取水時間内）において設定通水量以上の通水量が生じれば紫外線灯２８を点灯させる一方、取水操作があってもその通水量が設定通水量未満であれば点灯を禁止し、さらに、その点灯禁止を継続した間（点灯禁止時間内）に流れた通水量を積算してそれが設定積算通水量に到達すれば点灯させるという点灯制御を行うようになっている。ここで、通水量は、上記流量センサ８１から出力される検出流量値を通水量計測処理部７３１において取水時間で積分することにより得られることになる。従って、流量センサ８１を含んで通水量を計測する通水量計測処理部７３１が構成されることになる。
【００４７】
上記通水量計測処理部７３１では、取水スイッチ１４のＯＮ操作（冷水取水弁２７の開）に基づきＯＮ操作信号が出力されると処理を開始して流量センサ８１から出力される検出流量値を時間経過に従って積分してゆく。そして、取水スイッチ１４のＯＦＦ操作に基づきＯＦＦ操作信号（冷水取水弁２７の閉操作信号）が出力されるまでに積分結果の通水量が設定通水量以上になれば、点灯指令信号を出力する一方、上記ＯＦＦ操作信号が出力されても積分結果が設定通水量未満であれば、上記の点灯指令信号は出力せずに、今回の積分結果を通水量積算処理部７３２に送出するようになっている。取水連係制御部７３では上記の点灯指令信号が出力されれば紫外線灯２８を点灯タイマ７３３によりカウントされる設定点灯時間値ｔ３だけ点灯させ、又、通水量積算処理部７３２では通水量計測処理部７３１から送出される積分結果である通水量を積算するようになっている。
【００４８】
ここで、設定通水量に到達する前にＯＦＦ操作信号が出力された場合（通水量＜設定通水量）には点灯指令信号が出力されないため点灯されることはなく、つまり点灯が禁止され、通水量計測処理部７３１での積算はリセットされて次のＯＮ操作信号の出力を待つことになる。そして、通水量積算処理部７３２において、通水量計測処理部７３１から送出される点灯禁止期間の通水量の積算量が設定積算通水量に到達すれば、点灯指令信号を出力し、この点灯指令信号の出力を受けた取水連係制御部７３は、紫外線灯２８を点灯タイマ７３３によりカウントされる設定点灯時間値ｔ３だけ点灯させることになる。この点灯指令信号の出力によって通水量積算処理部７３２での積算がリセットされることになる。
【００４９】
以上、要するに取水連係制御部７３は、通水量計測処理部７３１からの点灯指令信号の出力、又は、通水量積算処理部７３２からの点灯指令信号の出力のいずれかを受けて、紫外線灯２８を点灯させ、それ以外は取水操作があっても紫外線灯２８を消灯状態（点灯を禁止した状態）に維持するようになっている。
【００５０】
図６の例示に基づき取水連係制御について具体的に説明すると、冷水用の取水スイッチ１４がＯＮ操作されて取水が開始されと通水量計測処理部７３１で検出流量値の積分が開始され、この積分結果である通水量が設定通水量に到達すると、通水量計測処理部７３１から点灯指令信号が出力されて、紫外線灯２８が点灯タイマ７３３によりカウントされる設定点灯時間値ｔ３だけ点灯されることになる。通水量計測処理部７３１は点灯指令信号の出力によりリセットされる。そして、設定点灯時間値ｔ３のタイムアップにより紫外線灯２８は消灯されると共に、点灯タイマ７３３及び通水量積算処理部７３２でのそれまでの積算が共にリセットされる。
【００５１】
次の取水スイッチ１４のＯＮ操作の場合には、設定通水量未満の通水量にてＯＦＦ操作されてしまうため、その通水量が通水量積算処理部７３２に送出されて積算される一方、その取水時間値の送出により通水量計測処理部７３１はリセットされる。その次の取水スイッチ１４のＯＮ操作も、設定通水量未満の通水量にてＯＦＦ操作されたため、その通水量が通水量積算処理部７３２で積算される。さらにその次の取水スイッチ１４のＯＮ操作も、設定通水量未満の通水量にてＯＦＦ操作されて、通水量が同様に積算されることになるものの、その積算量が設定積算通水量に到達するため、到達と同時に点灯指令信号が出力され、これにより、紫外線灯２８が設定点灯時間値ｔ３だけ点灯されることになる。そして、設定点灯時間値ｔ３のタイムアップにより紫外線灯２８は消灯されると共に、点灯タイマ７３３及び通水量積算処理部７３２が共にリセットされる。以後、これらが繰り返されることになる。
【００５２】
以上の取水連係制御部７３による取水連係制御の場合においても、取水スイッチ１４のＯＮ操作に連動させて冷水取水弁２７が開操作される毎に点灯するという取水連動点灯を行う場合と比べ、紫外線灯２８による紫外線照射の回数（点灯回数）を大幅に減らすことができ、かかる点灯回数の低減化と、それに伴う点灯時間の低減によって紫外線灯２８の低減化を図ることができる。このため、ウォータサーバの使用経過期間が同じであってもその期間内の紫外線灯２８の累積点灯時間をより短くすることができることになる。そして、このような通水量により把握される置換水量に基づく点灯制御によって、第１実施形態と同様に、ユーザの取水動作に起因して混入のおそれのある雑菌を確実に殺菌して冷水タンク２内の冷水に対する必要・十分な殺菌を担保しつつ、取水連係用の紫外線灯２８の寿命をより長く保持させることができるようになる。
【００５３】
＜他の実施形態＞
なお、本発明は上記実施形態に限定されるものではなく、その他種々の実施形態を包含するものである。すなわち、上記実施形態では、冷水タンク２の他に温水タンク５をも備えた例を示しているが、これに限らず、本発明は少なくとも冷水タンク２を備えて構成されたウォータサーバであれば適用することができる。従って、温水タンク５を備えないウォータサーバであってもよい。又、温水タンク５を併有する場合には接続管２４の配設状況として、上記実施形態以外にも、例えば冷水タンク２の外側を通して温水タンク５に接続させるような配設状況に変更してもよい。
【００５４】
上記実施形態では、取水連係用の紫外線灯２８として、下端部を溜まり部２５まで延ばして冷水取水管２６の下流端まで紫外線を照射し得るように配置した例を示したが、これに限らず、溜まり部２５を省略してもよい。この場合には、取水連係用の紫外線灯の下端部付近の側方位置に冷水取水管を開口させて紫外線灯からの紫外線が冷水取水管内に一直線状に延びて照射されるように配置すればよい。又、取水連係用と、定期点灯用とに役割設定されている複数の紫外線灯を、所定期間の経過によりその役割を逆にしたり、所定期間の経過毎に上記の役割設定を交互に変換させたりするようにしてもよい。
【００５５】
上記実施形態及び図１では、取水連係用の紫外線灯２８として１本を、定期点灯用の紫外線灯２９として１本を、それぞれ例示しているが、これに限らず、取水連係用の紫外線灯として複数本を、定期点灯用の紫外線灯として複数本をそれぞれ備えるようにしてもよい。さらに、定期点灯用の紫外線灯２９を省略して、紫外線灯２８に定期点灯用及び取水連係用の双方の役割を担わせるようにしてもよい。つまり、定期点灯制御部７１と、取水連係制御部７２又は７３との制御対象を紫外線灯２８とするのである。
【００５６】
上記実施形態では、取水連係制御部７２又は７３の他に、定期点灯制御部７１と定期点灯用の紫外線灯２９とを備えるようにしているが、これに限らず、定期点灯に係る構成を省略してもよい。
【００５７】
上記実施形態では、紫外線灯２８の取水連係制御に基づく点灯時間として、取水連係制御部７２ではタイムアップ信号の出力の場合とカウントアップ信号の出力の場合とで互いに同じ設定点灯時間ｔ３にし、同様に、取水連係制御部７３でも通水量計測処理部７３１からの点灯指令信号の出力の場合と通水量積算処理部７３２からの点灯指令信号の出力の場合とで互いに同じ設定点灯時間ｔ３にしているが、これに限らず、それぞれ異なる時間値を設定するようにしてもよい。
【００５８】
上記実施形態では、取水弁２７として電磁開閉制御弁により構成し、取水スイッチ１４のＯＮ操作により開変換する構成を採用しているが、これに限らず、ユーザのマニュアル操作に基づき開閉する形式の取水弁を採用するようにしてもよい。この場合には、開操作のためのレバー手段又は押しボタン手段等のマニュアル操作手段が操作されることによりコントローラ７に対しその操作に基づく電気信号を出力する操作検知スイッチを設け、この操作検知スイッチからの操作信号に基づき取水連係制御を行うようにすればよい。
【００５９】
上記実施形態では、取水時間や通水量によって置換水量を把握するようにしているが、これに限らず、それら以外のパラメータによって置換水量を把握するようにしてもよい。例えば、冷水タンク２の所定レベル位置における水の温度変化によって概略の置換水量の推定・把握を行い、この把握に基づき紫外線灯２８の点灯を行うようにしてもよい。この場合には、冷水タンク２の例えば中段レベル位置に温度センサ８２を置換水量の把握手段として設置し、この温度センサ８２からの検出温度が通常の冷水温度範囲（例えば５℃〜１０℃）から常温水温（例えば２０℃前後）まで変化すれば、この中段レベル位置までの冷水タンク２の容量に相当する量の水が置換したものと推定し、これによる推定・把握される量の置換水量に到達するまでは紫外線灯２８の点灯を禁止する一方、その置換水量に到達すれば紫外線灯２８を点灯させる、というような取水連係制御を行うようにすればよい。
【００６０】
あるいは、さらに別の手段により置換水量を把握する例として、冷水タンク２内の水を冷却するための冷凍回路４の作動タイミングに基づいて置換水量を把握するようにしてもよい。例えば、保冷運転のためのコンプレッサ４３の作動タイミングをもって、一定の保冷温度範囲に維持されていた冷水タンク２内の冷水がウォータボトル３からの常温水と一定量置換されたために昇温し、これにより、コンプレッサ４３が保冷のために作動開始したと解釈し、対応する置換水量が発生したと把握するのである。この場合も、コンプレッサ４３を置換水量を把握する手段として用いて、上記と同様にコンプレッサ４３の作動に連係させて紫外線灯２８を点灯させるようにすればよい。
【００６１】
さらに、上記実施形態では、取水スイッチ１４のＯＮ操作に基づく取水連係制御について説明したが、本実施形態のウォータサーバでは温水取水弁５２の開変換（取水スイッチ１５のＯＮ操作）により温水タンク５からの温水が取水され、これに伴い、その取水された温水の分だけウォータボトル３から冷水タンク２内に新たに供給されて冷水タンク２内の水と置換される構造であるため、取水連係制御部による取水連係制御を取水スイッチ１４のみならず取水スイッチ１５のＯＮ操作に基づいても実行させるようにしてもよい。
【図面の簡単な説明】
【００６２】
【図１】本発明の実施形態を示す模式図である。
【図２】図１の部分拡大図である。
【図３】第１実施形態における点灯制御に係るブロック図である。
【図４】第１実施形態における取水連係制御を実行した場合のタイムチャート例である。
【図５】第２実施形態における点灯制御に係るブロック図である。
【図６】第２実施形態における取水連係制御を実行した場合のタイムチャート例である。
【符号の説明】
【００６３】
２            冷水タンク（貯留タンク）
７            コントローラ（制御手段）
２６          冷水取水管（取水経路）
２７          冷水取水弁(開閉切換弁)
２８          取水連係制御により点灯される紫外線灯
７２，７３    取水連係制御部
２６１        冷水取水管の上流端(取水経路の上流端)
２６２        冷水取水管の下流端(取水経路の下流端)
７２１        取水タイマ
７２２        積算カウンタ
７３１        通水量計測処理部
７３２        通水量積算処理部
【図１】
2010052745.tif 000003
【図２】
2010052745.tif 000004
【図３】
2010052745.tif 000005
【図４】
2010052745.tif 000006
【図５】
2010052745.tif 000007
【図６】
2010052745.tif 000008